(57)【要約】【課題】ケースの側板部と伝熱管との接合箇所の耐久性を高くしつつ、製造の容易化ならびに製造コストの低減化をも図ることが可能な熱交換器を提供する。【解決手段】伝熱管１と、この伝熱管１を内部に収容するケース２と、を備えており、ケース２の側板部２１に設けられた貫通孔２８に、伝熱管１の端部が挿入され、かつ伝熱管１の端部が貫通孔２８の周縁部に溶接されている、熱交換器ＨＥであって、前記溶接は、側板部２１の外側から行なわれる片側溶接とされ、側板部２１の内面側には、伝熱管１の外周を覆うようにして伝熱管１に一体化した裏ビード部２９が、ケース２の内方側に突出するように形成されている。【選択図】  図４
2014109396.tif 000002
【特許請求の範囲】
【請求項１】
伝熱管と、この伝熱管を内部に収容するケースと、を備えており、
前記ケースの側板部に設けられた貫通孔に、前記伝熱管の端部が挿入され、かつ前記伝熱管の端部が前記貫通孔の周縁部に溶接されている、熱交換器であって、
前記溶接は、前記側板部の外側から行なわれる片側溶接とされ、前記側板部の内面側には、前記伝熱管の外周を覆うようにして前記伝熱管に一体化した裏ビード部が、前記ケースの内方側に突出するように形成されていることを特徴とする、熱交換器。
【請求項２】
請求項１に記載の熱交換器であって、
前記裏ビード部の先端部およびその近傍部分は、この裏ビード部の先端側ほど前記伝熱管の半径方向の厚みが漸減している、熱交換器。
【請求項３】
請求項１または２に記載の熱交換器であって、
前記ケースの側板部の外側には、前記伝熱管の内部に連通するチャンバを形成する流体流入用または流出用のヘッダが取り付けられており、
前記伝熱管の端部は、前記側板部の外面と略面一状の高さとされている、熱交換器。
【請求項４】
ケースの側板部に設けられた貫通孔に、伝熱管の端部を挿入する伝熱管挿入工程と、
この伝熱管挿入工程の後に、前記伝熱管の端部と前記貫通孔の周縁部とを溶接する溶接工程と、
を有している、熱交換器の製造方法であって、
前記伝熱管挿入工程においては、前記伝熱管の端部を前記側板部の外側に突出させた状態とし、
前記溶接工程においては、前記側板部の外側から溶接を施すことによって、前記側板部のうち、前記貫通孔の周縁部に加えて、前記伝熱管の端部の突出部分をも溶かし、前記側板部の内面側に裏ビード部を形成することを特徴とする、熱交換器の製造方法。
【請求項５】
請求項４に記載の熱交換器の製造方法であって、
前記伝熱管として、複数の伝熱管を準備し、かつ前記伝熱管挿入工程においては、前記複数の伝熱管のそれぞれの端部を互いに接近して並んだ状態で前記側板部に設けられた複数の貫通孔に挿入させ、かつ前記溶接工程おいて、前記複数の伝熱管の端部どうしの間の領域を溶接する際には、他の領域を溶接する際よりも入熱を少なくする、熱交換器の製造方法。
【発明の詳細な説明】
【技術分野】
【０００１】
本発明は、伝熱管がケース内に収容され、瞬間式給湯器用の熱交換器などとして用いるのに好適な熱交換器、およびその製造方法に関する。
【背景技術】
【０００２】
瞬間式ガス給湯器などで用いられる熱交換器は、ガスバーナで発生された燃焼ガスが導入されるケース内に伝熱管が収容された構成とされている。このような熱交換器においては、ケースの側板部に設けられた貫通孔に伝熱管の端部を挿入することにより、ケース外部から伝熱管内への入水および出湯を可能としている。伝熱管については、ケースに対して適切に固定させる必要があり、そのための手段として、貫通孔の周縁部と伝熱管の外周面とをロウ付け、または溶接する手段が採用されている（たとえば、特許文献１，２を参照）。
しかしながら、ロウ付けでは、真空炉などの大掛りな設備が必要であって、製造コストが高価となり、また少量生産には余り適さない。これに対し、溶接では、そのような不利はない。ただし、従来においては、伝熱管をケースの側板部に溶接する場合に、伝熱管と側板部とが交差する箇所を対象として、隅肉溶接を施していたのが実情であった。このような溶接手段を用いた場合であっても、伝熱管と側板部との実用的な溶接強度を確保することは可能であるが、耐ウォータハンマ性能などを向上させて熱交換器の耐久性をより高め、また製造コストの低減などを図る観点からすると、未だ改善すべき余地があった。
【先行技術文献】
【特許文献】
【０００３】
【特許文献１】特許第４６４６３８３号公報
【特許文献２】特許第３８０４７２７号公報
【発明の概要】
【発明が解決しようとする課題】
【０００４】
本発明は、前記したような事情のもとで考え出されたものであり、ケースの側板部と伝熱管との接合箇所の耐久性を高くしつつ、製造の容易化ならびに製造コストの低減化をも図ることが可能な熱交換器、および熱交換器の製造方法を提供することを、その課題としている。
【課題を解決するための手段】
【０００５】
上記の課題を解決するため、本発明では、次の技術的手段を講じている。
【０００６】
本発明の第１の側面により提供される熱交換器は、伝熱管と、この伝熱管を内部に収容するケースと、を備えており、前記ケースの側板部に設けられた貫通孔に、前記伝熱管の端部が挿入され、かつ前記伝熱管の端部が前記貫通孔の周縁部に溶接されている、熱交換器であって、前記溶接は、前記側板部の外側から行なわれる片側溶接とされ、前記側板部の内面側には、前記伝熱管の外周を覆うようにして前記伝熱管に一体化した裏ビード部が、前記ケースの内方側に突出するように形成されていることを特徴としている。
【０００７】
このような構成によれば、次のような効果が得られる。
第１に、側板部の外側から溶接を行なっているために、側板部の内側において溶接を行なう場合とは異なり、溶接トーチが伝熱管の中央寄り部分やケースと干渉することがなく、溶接作業を容易かつ適切に行なうことができる。複数の伝熱管を狭いピッチで並べたような場合であっても、それら複数の伝熱管の各外周（伝熱管の相互間領域を含む）を側板
部に対して適切に溶接することが可能となる。したがって、熱交換器の生産性を高め、製造コストを低減することができる。
第２に、本発明によれば、側板部の内面側に、伝熱管の外周を覆うようにして伝熱管に一体化した裏ビード部がケースの内方側に突出するようにして形成されているために、たとえば単なる隅肉溶接などと比較すると、その溶接強度は大幅に高くなる。したがって、耐ウォータハンマ性能などが向上し、耐久性にも優れたものとすることができる。
【０００８】
本発明において、好ましくは、前記裏ビード部の先端部およびその近傍部分は、この裏ビード部の先端側ほど前記伝熱管の半径方向の厚みが漸減している。
【０００９】
このような構成によれば、伝熱管の長手方向のうち、裏ビード部に囲まれている部分と、囲まれていない部分との境界部分が、応力集中を生じ易い断面急変箇所にならないようにすることができる。したがって、耐久性能を高める上で、より好ましいものとなる。
【００１０】
本発明において、好ましくは、前記ケースの側板部の外側には、前記伝熱管の内部に連通するチャンバを形成する流体流入用または流出用のヘッダが取り付けられており、前記伝熱管の端部は、前記側板部の外面と略面一状の高さとされている。
【００１１】
このような構成によれば、ヘッダのチャンバ内に伝熱管の端部が突出しないこととなるために、チャンバの容積を広くとることができる（チャンバの容積が端部の存在によって不当に狭められない）。また、チャンバ内と伝熱管内との間を流体が流通する際の抵抗も小さくすることができる。
【００１２】
本発明の第２の側面により提供される熱交換器の製造方法は、ケースの側板部に設けられた貫通孔に、伝熱管の端部を挿入する伝熱管挿入工程と、この伝熱管挿入工程の後に、前記伝熱管の端部と前記貫通孔の周縁部とを溶接する溶接工程と、を有している、熱交換器の製造方法であって、前記伝熱管挿入工程においては、前記伝熱管の端部を前記側板部の外側に突出させた状態とし、前記溶接工程においては、前記側板部の外側から溶接を施すことによって、前記側板部のうち、前記貫通孔の周縁部に加えて、前記伝熱管の端部の突出部分をも溶かし、前記側板部の内面側に裏ビード部を形成することを特徴としている。
【００１３】
このような構成によれば、本発明の第１の側面により提供される熱交換器を好適に製造することができる。加えて、伝熱管の端部のうち、側板部の外側に突出した部分については、溶接工程時において溶加棒として利用することができるために、溶加材や母材不足に起因する溶接不良も適切に回避される。また、溶接後においては、伝熱管の端部が側板部の外側に突出しない状態にすることも容易に実現できる。なお、伝熱管の端部を側板部の外側に突出させない状態で溶接し、裏ビード部を形成しようとすると、溶け落ちを生じる虞があるが、前記構成によれば、そのような虞も回避することが可能である。
【００１４】
本発明において、好ましくは、前記伝熱管として、複数の伝熱管を準備し、かつ前記伝熱管挿入工程においては、前記複数の伝熱管のそれぞれの端部を互いに接近して並んだ状態で前記側板部に設けられた複数の貫通孔に挿入させ、かつ前記溶接工程において、前記複数の伝熱管の端部どうしの間の領域を溶接する際には、他の領域を溶接する際よりも入熱を少なくする。
【００１５】
このような構成によれば、互いに接近して並んだ複数の伝熱管の周囲のうち、伝熱管どうしの間の領域の入熱が過剰にならないようにし、溶接の均一化を図るのに好ましいものとなる。
【００１６】
本発明のその他の特徴および利点は、添付図面を参照して以下に行なう発明の実施の形態の説明から、より明らかになるであろう。
【図面の簡単な説明】
【００１７】
【図１】本発明に係る熱交換器の一例を示す外観斜視図である。
【図２】（ａ）は、図１のIIa−IIa断面図であり、（ｂ）は、（ａ）のIIb−IIb断面図である。
【図３】（ａ）は、図２（ｂ）のIIIa部拡大断面図であり、（ｂ）は、（ａ）のIIIb−IIIb拡大断面図である。
【図４】（ａ）は、図３（ａ）の一部を示す断面図であり、（ｂ）は、（ａ）に示す構造を得るための溶接工程を示す断面図であり、（ｃ）は、（ｂ）のIVc−IVc断面図である。
【図５】図４（ｂ），（ｃ）に示す溶接工程を説明するための側面図である。
【発明を実施するための形態】
【００１８】
以下、本発明の好ましい実施の形態について、図面を参照して具体的に説明する。
【００１９】
図１および図２に示す熱交換器ＨＥは、たとえばガスバーナなどのバーナ（図示略）によって発生された燃焼ガスから熱回収を行なって湯水加熱を行なう用途に好適なものであり、たとえば給湯装置の潜熱回収用の熱交換器として利用される。
この熱交換器ＨＥは、ケース２と、このケース２内に収容された複数の伝熱管１と、これら複数の伝熱管１の下端部および上端部に繋がった入水用および出湯用の一対のヘッダ３（３Ａ，３Ｂ）とを具備している。
【００２０】
複数の伝熱管１は、平面視長円状の複数の螺旋状管体を利用して構成されている。これら複数の螺旋状管体は、互いにサイズが異なっており、略同心の重ね巻き状に配されている。各伝熱管１の下部および上部は、略水平に延びる直状管体部１０ａ，１０ｂとされている。燃焼ガスから伝熱管１に効率良く熱回収されるためには、図２（ｂ）のように、伝熱管１の上方および下方の隙間は、伝熱管１どうしの隙間と同等程度に小さくすることが望ましい。前記隙間を小さくする手段として、上壁部２０ａおよび下壁部２０ｂに、伝熱管１に向けて突出する段部２０',２０”を形成する手段を用いることができる。ただし、前記隙間は、燃焼ガスの通路抵抗の度合いや、潜熱回収によって発生するドレインの排出性能などに応じて適宜大きくしてもよい。
【００２１】
ケース２は、略直方体状であり、このケース２の本体部２０（矩形筒状の胴体部）に加え、一対の側板部２１，２２を有している。本体部２０および側板部２１，２２のそれぞれは、たとえばステンレスなどの金属板を用いて構成されている。ケース２の後壁部２０ｃおよび前壁部２０ｄには、燃焼ガス用の給気口２５および排気口２６が設けられている。給気口２５からケース２内に流入した燃焼ガスは複数の伝熱管１の隙間を通過した後に排気口２６に到達するが、その過程において前記燃焼ガスから各伝熱管１により熱回収がなされ、各伝熱管１内を流通する湯水が加熱される。
【００２２】
ケース２の側板部２１には、２つの膨出部２２が形成されている。膨出部２２は、ヘッダ３の装着対象となる部分であり、側板部２１にプレス加工を施すことにより形成されている。図３によく表われているように、膨出部２２の先端壁部２２ｂには、複数の貫通孔２８が形成され、かつこの部分に伝熱管１の端部が挿入されて溶接されている。複数の貫通孔２８および伝熱管１の端部は、比較的接近した間隔で略水平方向に並んでいる。前記溶接の具体的な方法は、後述するが、この溶接は、側板部２１の外側から行なわれ、かつ側板部２１の内面側に裏ビード部２９が形成されるようにしてなされている。
【００２３】
裏ビード部２９は、伝熱管１の外周を覆うようにして伝熱管１に一体化しており、かつ側板部２１の内面からケース２の内方側に向けて突出している。裏ビード部２９の先端部およびその近傍部分は、この裏ビード部２９の先端側ほど伝熱管１の半径方向の厚みが漸減する形態となっている（図３（ａ）で示す伝熱管１の外面と裏ビード部２９の表面とがなす角度αは、９０°を超えている）。伝熱管１は、後述するように、溶接前には側板部２１よりも外方に一部突出した状態に設定されているが、溶接後においては伝熱管１の端部は、側板部２１の外面と略面一状の高さとなっている。
【００２４】
ヘッダ３は、側板部２１とは別体に形成されており、膨出部２２に対応した開口部３２を形成する開口縁部３３を有する内部空洞状の本体部３０と、この本体部３０の後面側に連結された継手用管体部３１とを有している。ヘッダ３は、その開口縁部３３が膨出部２２の周壁部２２ａに外嵌され、かつこの外嵌部分において溶接が施されていることにより、膨出部２２への固定が図られている。ヘッダ３内のうち、先端壁部２２ｂよりもケース２の外方側の領域は、各伝熱管１の内部に連通した湯水流通用のチャンバ３６である。
【００２５】
次に、ケース２の側板部２１に複数の伝熱管１の端部を溶接する際の具体的な方法の一例について説明する。
【００２６】
まず、図４（ｂ），（ｃ）に示すように、ケース２の側板部２１の各貫通孔２８には、伝熱管１の端部を挿入するが、その際には伝熱管１の端部を適当な寸法だけ側板部２１の外側、より厳密には、膨出部２２の先端壁部２２ｂの外側に突出させておく（突出部１３を設ける）。突出寸法は、たとえば０．５ｍｍ〜２ｍｍ程度であるが、この寸法は、伝熱管１および側板部２１の厚みや材質などに応じて適宜変更できる。図４（ｃ）においては、側板部２１がケース２の本体部２０に取り付けられた状態に示されているが、側板部２１に対する伝熱管１の固定作業は、側板部２１をケース２の本体部２０に取り付ける前に行なってもよい。膨出部２２に対するヘッダ３の取り付けは、次に述べる伝熱管１の溶接作業の後に行なうこととなる。
【００２７】
伝熱管１と側板部２１との溶接は、たとえばＴＩＧ溶接であり、側板部２１の外側から片側溶接を行なう。この溶接に際しては、ＴＩＧ溶接トーチ９を貫通孔２８の周縁部に向けて対向させ、伝熱管１には直接対向させないようにする。このような設定状態でＴＩＧ溶接を開始すると、貫通孔２８の周縁部とともに伝熱管１の突出部１３をも溶融させることができる。突出部１３は、貫通孔２８の周縁部よりもＴＩＧ溶接トーチ９に接近しているために、この突出部１３に対して適切にアーク熱を作用させることが可能である。ＴＩＧ溶接トーチ９は、伝熱管１の端部全周と各貫通孔２８の周縁部全周とを溶接するように移動させていく。
【００２８】
具体的には、図５の仮想線Ｌ１，Ｌ２で示すように、伝熱管１の外周に沿った円軌跡でＴＩＧ溶接トーチ９を移動させる。この場合、複数の伝熱管１の相互間領域を溶接する際には、他の領域（伝熱管１の上側や下側の領域）を溶接する際よりも入熱を少なくする。複数の伝熱管１の相互間領域は、溶接が重なり気味で実行されるために、この領域への入熱が過剰にならないようにするためである。
【００２９】
好ましくは、図５に示す上下一対の膨出部２２のうち、上側の膨出部２２において、伝熱管１の端部（直状管体部１０ｂ）を溶接する際の終点Ｐ１は、この伝熱管１の下側とされる。下側の膨出部２２において、伝熱管１の端部（直状管体部１０ａ）を溶接する際の終点Ｐ２は、伝熱管１の上側とされる。その理由は、溶接の終点Ｐ１，Ｐ２は、溶接箇所の他の部分と比較して溶接不良を生じる虞が大きいため、伝熱管１の相互間領域を溶接の終点Ｐ１，Ｐ２とすることは適切ではないことに加え、熱交換器ＨＥに連結された配管経路にウォータハンマが発生した場合には、この熱交換器ＨＥの構造上、伝熱管１の溶接箇
所のうち、図５の符号ｎ１、ｎ２で示す部分（直状管体部１０ｂの上側、直状管体部１０ａの下側）に最も大きな応力を受けるため、この部分を避けるためである。ウォータハンマが発生し、各伝熱管１内の水圧が大きく上昇した際には、直状管体部１０ａ，１０ｂが上下方向に膨らむように撓むとともに、この撓みに伴って側板部２１がケース２の内方側に引っ張られて撓む。このような現象に起因して、先に述べた符号ｎ１，ｎ２で示す箇所に溶接を剥離させる方向の大きな応力が発生する。この現象は、本発明者が試験およびシミュレーョンにより究明した。
【００３０】
前記した溶接を施すことにより、図３および図４（ａ）に示した裏ビード部２９を適切に形成した溶接が可能となる。伝熱管１の突出部１３は、溶加棒としての役割を果たすこととなるため、裏ビード部２９のボリューム（側板部２１の内面からケース２の内方への突出寸法）を大きくすることが可能である。また、伝熱管１の相互間領域の母材が少ない部分においても溶接不良を生じないようにする効果も得られる。伝熱管１の突出部１３を溶接により溶かせば、伝熱管１が側板部２１からチャンバ３６内に突出しないようにすることもできる。
【００３１】
本実施形態によれば、次のような作用が得られる。
【００３２】
まず、伝熱管１と側板部２１との溶接は、側板部２１の外側からの片側溶接であるために、側板部２１の内側において溶接を行なう場合とは異なり、ＴＩＧ溶接トーチ９が伝熱管１の螺旋状管体の部分に干渉するようなことが回避される。側板部２１をケース２の本体部２０に組み付けた後であっても、前記溶接作業を容易に行なうことが可能である。したがって、熱交換器ＨＥの生産性を高め、その製造コストを低減することができる。
【００３３】
側板部２１の内面側に形成された裏ビード部２９は、伝熱管１の外周を覆うようにして伝熱管１に一体化し、かつケース２の内方側に突出しているために、たとえば単なる隅肉溶接などと比較すると、その溶接強度を高くすることができる。したがって、耐ウォータハンマ性能などが向上し、耐久性にも優れたものとすることができる。また、裏ビード部２９の先端部およびその近傍部分は、先端側ほど伝熱管１の半径方向の厚みが漸減しているために、応力集中を生じ易い断面急変箇所は存在しない。その結果、伝熱管１と側板部２１との接合箇所の強度がより高くなる。
【００３４】
ヘッダ３内のチャンバ３６には、伝熱管１の端部が突出していないために、チャンバ３６の容積が伝熱管１の存在によって狭められないようにすることができる。また、チャンバ３６内と伝熱管１内との間を湯水が流通する際の抵抗を小さくする効果も得られる。
【００３５】
その他、本実施形態によれば、側板部２１に対するヘッダ３の取り付けも、側板部２１の外側において簡易に行なえることとなる。ヘッダ３を側板部２１に直接取り付けた構成であるため、全体の部品点数も少なくし、熱交換器ＨＥの製造コストを低減する上でより好ましく、さらには全体の小型化を図る上でも好ましいものとなる。
【００３６】
本発明は、上述した実施形態の内容に限定されない。本発明に係る熱交換器の各部の具体的な構成は、本発明の意図する範囲内で種々に設計変更自在である。また、本発明に係る熱交換器の製造方法の各工程の具体的な構成も、種々に変更自在である。
【００３７】
上述した実施形態では、ケース２の側板部２１に設けられた膨出部２２の先端壁部２２ｂに伝熱管１を溶接しているが、本発明はこれに限定されない。側板部２１に膨出部２２を設けるようなことなく側板部２１と伝熱管１とを接合させる場合にも本発明を適用することができる。伝熱管は、螺旋状管体を利用したものでなくてもよく、これ以外の種々の伝熱管（たとえば、直状管、Ｕ字管、蛇行状のフレキシブル管など）を用いることができ
る。溶接は、ＴＩＧ溶接に限定されず、たとえば他のアーク溶接を用いることも可能であり、その具体的な種類は問わない。
【００３８】
複数の伝熱管が用いられる場合、これら複数の伝熱管と側板部とを接合するための全ての箇所が本発明の意図する構成とされることが好ましいものの、やはりこれに限定されず、複数の接合箇所のうち、一部の接合箇所が本発明の意図する構成とされ、これ以外の他の箇所が本発明の意図する構成ではない場合であっても、本発明の技術的範囲に包摂される。ケース内に流入させる熱交換対象媒体としては、燃焼ガス以外の流体とすることができる。本発明に係る熱交換器は、潜熱回収用に限らないことは勿論のこと、湯水加熱用途以外の種々の用途に用いられるものとすることができる。
【符号の説明】
【００３９】
ＨＥ  熱交換器
１  伝熱管
２  ケース
３（３Ａ，３Ｂ）  ヘッダ
１３  突出部（伝熱管の）
２１  側板部（ケースの）
２８  貫通孔
２９  裏ビード部
３６  チャンバ（ヘッダの）
【図１】
2014109396.tif 000003
【図２】
2014109396.tif 000004
【図３】
2014109396.tif 000005
【図４】
2014109396.tif 000006
【図５】
2014109396.tif 000007